(57)【特許請求の範囲】
【請求項１】
第１の装置と第２の装置との色再現範囲が異なる場合に、前記第１の装置の色再現範囲内の画像データを前記第２の装置の色再現範囲内の画像データに変換するためのカラーマッチング方法であって、
前記第１の装置の色再現範囲内の各データを、各データの彩度に応じて決定される移動量でもってそれぞれ移動させる移動ステップと、
前記第２の装置の色再現範囲内に入らない前記第１の装置に関する画像データを、明度を保ちつつ色差が最小となるように、前記第２の装置の色再現範囲内に圧縮を行なう圧縮ステップを含み、
前記移動ステップで行なわれる各データの移動量は、各データの彩度が前記第１の装置の色再現範囲のグレー軸から遠ざかるほど小さくすることを特徴とする、カラーマッチング方法。
【請求項２】
前記圧縮ステップは、明度が独立した色空間において行なうことを特徴とする、請求項１に記載のカラーマッチング方法。
【請求項３】
前記明度が独立した色空間は、Ｌａｂ色空間であることを特徴とする、請求項２に記載のカラーマッチング方法。
【請求項４】
第１の装置と第２の装置との色再現範囲が異なる場合に、前記第１の装置の色再現範囲内の画像データを前記第２の装置の色再現範囲内の画像データに変換するためのカラーマッチング方法をコンピュータに実行させるためのカラーマッチングプログラムを記録したコンピュータ読み取り可能な記録媒体であって、
前記カラーマッチング方法は、
前記第１の装置の色再現範囲内の各データを、各データの彩度に応じて決定される移動量でもってそれぞれ移動させる移動ステップと、
前記第２の装置の色再現範囲内に入らない前記第１の装置に関する画像データを、明度を保ちつつ色差が最小となるように、前記第２の装置の色再現範囲内に圧縮を行なう圧縮ステップを含み、
前記移動ステップで行なわれる各データの移動量は、各データの彩度が前記第１の装置の色再現範囲のグレー軸から遠ざかるほど小さくすることを特徴とする、コンピュータ読み取り可能な記録媒体。
【発明の詳細な説明】
【０００１】
【発明の属する技術分野】
本発明はカラーマッチング方法およびカラーマッチングプログラムを記録したコンピュータ読み取り可能な記録媒体に関し、特に、ＣＲＴ（cathode  ray  tube）等の装置で再現可能なデジタル画像データをプリンタ等の出力装置で再現可能な画像データに変換するために用いられるカラーマッチング方法およびカラーマッチングプログラムを記録したコンピュータ読み取り可能な記録媒体に関する。
【０００２】
【従来の技術】
一般に、ＣＲＴやスキャナで色再現可能な範囲とプリンタで色再現可能な範囲とは異なる。このように２つの装置間の色再現範囲（ガマット（Gamut））が異なる場合、一方の装置で再現される画像を他方の装置で再現する際には、両者間において色合わせ、すなわちカラーマッチングが必要となる。以下、従来技術におけるカラーマッチングの方法について簡単に説明する。
【０００３】
まず、図７において、入力装置７０１と出力装置７０７とのカラーマッチングの方法を説明するために、画像データの流れを示す。ここでは、ＣＲＴなどの入力装置７０１で再現される画像データは、ＲＧＢ色空間で表わされるＲＧＢデータであり、プリンタなどの出力装置７０７で再現される画像データは、ＣＭＹ色空間で表わされるＣＭＹＫデータである。本図に示すように、ＲＧＢデータは、色変換処理部７０３における種々の変換処理を経て、最終的にＣＭＹＫデータに変換される。
【０００４】
まず、入力装置７０１におけるＲＧＢデータは、色変換処理部７０３に入力され、デバイスに独立な色空間のデータに変換される。デバイスに独立な色空間とは、たとえば、Ｌ*ａ*ｂ*色空間等である。ここではＬ*ａ*ｂ*色空間で表わされるデータ（Ｌ*ａ*ｂ*データ）に変換されたとする。変換処理には、ＬＵＴ（ルックアップテーブル）を用いた変換あるいはマスキング法などが用いられる。
【０００５】
次に、変換されたＬ*ａ*ｂ*データは、Gamutマッピング部７０５において出力装置７０７で再現可能な範囲のＬ*ａ*ｂ*データに変換される。すなわち、ここGamutマッピング部７０５において、入力装置７０１と出力装置７０７間のカラーマッチングが行なわれる。
【０００６】
カラーマッチング後のデータもデバイスに独立な色空間のデータ（Ｌ*ａ*ｂ*データ）であるため、再びＣＭＹＫデータに変換される。ここでも変換処理には、ＬＵＴ（ルックアップテーブル）を用いた変換あるいはマスキング法などが用いられる。
【０００７】
このように、入力装置７０１で再現される画像データは、一旦デバイスに独立な色空間のデータに変換されてから、出力装置７０７で再現できるようにカラーマッチングが行なわれる。
【０００８】
図８は、図７のGamutマッピング部７０５におけるカラーマッチングの処理の流れを示したフローチャートである。図８を参照して、Gamutマッピング部７０５では、ステップＳ８０１においてデバイスに独立なデータ（Ｌ*ａ*ｂ*データ）が入力されると、ステップＳ８０３において、グレー軸の調整が行なわれる。すなわち、入力Gamut（入力装置のGamut）のグレー軸を出力Gamut（出力装置のGamut）のグレー軸に一致させるように、入力Gamut全体を移動させる。入力装置７０１と出力装置７０７のグレー軸を合わせることで、色かぶりのないグレーバランスのとれた出力画像を得るためである。
【０００９】
なお、グレー軸とは、各装置における白色点と黒色点とを結ぶ線分を言う。たとえば、ＣＲＴでは、ＲＧＢ全てが点灯しているときの色が白色点となり、ＲＧＢ全てが消灯しているときの色が黒色点となる。そして、両点を結ぶ線分がＣＲＴのグレー軸となる。また、プリンタでは、使用する用紙の色が白色点となり、出力する黒の色が黒色点となる。そして、これら両点を結ぶ線分がプリンタのグレー軸となる。
【００１０】
次に、ステップＳ８０４において、入力Gamutの回転操作等による色相の調整が行なわれる。グレー軸調整処理によるGamut全体の移動に伴い、色相が変化する領域がでてくる。これを修正するためである。
【００１１】
その後、ステップＳ８０５において、明度および彩度の調整が行なわれる。すなわち、入力Gamutの明度および彩度を出力Gamutの明度および彩度に合わせるために圧縮処理が行なわれる。
【００１２】
明度のレンジが入力装置７０１と出力装置７０７とで大きく異なると、出力画像にハレーションを起こしたような白飛びが発生したりあるいは暗部が潰れるといった不具合が発生したりする。そこで、明度のレンジを出力装置７０７に合わせる形で調整が行なわれる。また、彩度のレンジが入力装置７０１と出力装置７０７とで大きく異なると、出力画像が全体に鮮やか過ぎてぺったりとしたものになったり、反対に殆ど色味のないものになったりする。そこで、彩度についても、ある程度出力装置７０７のGamutに合わせて圧縮調整が行なわれる。
【００１３】
明度、彩度の圧縮処理が終了すると、最後にステップＳ８０７において、出力装置のGamut外のデータをGamut表面に貼り付けるという貼り付け処理が行なわれる。この時点で出力装置７０７で再現することができない出力Gamut外の入力画像データを、適切に再現できるようにするためである。
【００１４】
出力Gamut内へのデータの貼り付け処理が終了すると、カラーマッチングの処理が全て完了したことになり、ステップＳ８０９において、マッチング後の画像データが出力される。
【００１５】
以上がGamutマッピング部７０５における処理の流れである。
次に、図９および図１０を用いて図８のグレー軸調整処理（ステップＳ８０３）について説明する。
【００１６】
図９は、グレー軸移動前のＬ*ａ*ｂ*空間における入力Gamutの断面を示した図である。ここでは、ａ*ｂ*平面に平行な等明度平面上の入力Gamutの断面が示されている。六角形で囲まれた領域Ｇinが、入力Gamutを示しており、その中の点Ｐは入力Gamutのグレー軸が交差する点である。なお、出力Gamutのグレー軸が等明度平面を交差する点は点Ｐ’であり、点Ｐとは一致していない。
【００１７】
図１０は、グレー軸移動後のＬ*ａ*ｂ*空間における入力Gamutの断面を示した図である。ここでも図９と同じ等明度平面上の入力Gamutの断面が示されている。点線の六角形で囲まれた領域Ｇinは、図９における移動前の入力Gamutを示しており、実線の六角形で囲まれた領域Ｇin’は、移動後の入力Gamutを示している。
【００１８】
本図を参照して、グレー軸調整処理により、入力GamutＧin内のデータ全体は、点Ｐが出力Gamutの等明度平面上の点Ｐ’に一致するように移動される。すなわち、等明度平面における全データは、グレー軸が移動するベクトル（点Ｐから点Ｐ’へ向く矢印）と同様のベクトルでもって平行移動されることになる。したがって、たとえば入力GamutＧin上の点ｑは、点ｑ’に移動される。
【００１９】
このように、入力Gamutのグレー軸が出力Gamutのグレー軸に一致するように入力Gamut全体を移動させることで、色かぶり等が発生しないグレーバランスのとれた出力画像を得ることができる。
【００２０】
続いて、図８のGamut内への貼り付け処理（ステップＳ８０７）（以下「Gamut圧縮処理」という）について説明する。従来から提案されている幾何学的なGamut圧縮処理は、以下の４つの方法に大別される。
【００２１】
すなわち、入力画像データを出力Gamutの中心点に向かってある比率で圧縮する方法（第１の方法）、入力画像データの色相を変化させずに、出力Gamutのグレー軸に向かって彩度を圧縮する方法（第２の方法）、入力画像データの色相を変化させずに明度を圧縮する方法（第３の方法）、および、色差が最も小さくなるように入力画像データを出力Gamut内へ変換する方法（第４の方法）である。
【００２２】
このうち、第１の方法および第４の方法について、図１１から図１５を用いて具体的に説明する。
【００２３】
図１１は、第１の方法におけるGamut圧縮処理を説明するための図である。ここでは簡略化して、ａ*ｂ*平面に平行な面上の円を底面とした２つの円錐を合体させたような形状を、出力GamutＧoutとして表わしている。点Ｐは、出力GamutＧout外の点であり、点Ｐ’は、出力GamutＧout内の点（Ｇoutの表面の点）である。なお、本図では、出力GamutＧoutの重心Ｑを通る軸に色度を示すためのａ*、ｂ*を付している。
【００２４】
点Ｐは、点Ｐおよび明度軸Ｌ*を含む等色相面Ｈ上において、圧縮の中心点である重心Ｑの方向に所定の圧縮率でもって圧縮される。
【００２５】
この様子を等色相面Ｈ上において示したものが図１２である。本図に示すように、出力GamutＧout外の点Ｐは、重心Ｑの方向に圧縮されて、出力GamutＧout内の点Ｐ’へと変換される。
【００２６】
図１３は、第４の方法におけるGamut圧縮処理を説明するための図である。ここでも簡略化して、ａ*ｂ*平面に平行な面上の六角形を底面とした２つの六角錘を合体させたような形状を、出力GamutＧoutとして表わしている。点Ｐは、出力GamutＧout外の点であり、点Ｐ’は、出力GamutＧout内の点（Ｇoutの表面の点）であって、点Ｐとの色差ΔＥが最小となる点である。矢印で示されるように、出力GamutＧout外の点Ｐは、点Ｐ’に変換される。なお、本図でも、出力GamutＧoutの重心を通る軸に色度を示すためのａ*、ｂ*を付している。
【００２７】
なお、点Ｐと点Ｐ’との色差ΔＥは、一般に、ΔＥ＝（(Ｐ(Ｌ*)−Ｐ’(Ｌ*))2＋(Ｐ(ａ*)−Ｐ’(ａ*))2＋(Ｐ(ｂ*)−Ｐ’(ｂ*))2）1/2  で表わされる。ここで、Ｐ（Ｌ*）、Ｐ（ａ*）、Ｐ（ｂ*）は、それぞれ、点ＰにおけるＬ*ａ*ｂ*空間のＬ*成分、ａ*成分、ｂ*成分の値である。同様に、Ｐ’(Ｌ*)、Ｐ’(ａ*)、Ｐ’(ｂ*)は、それぞれ、点Ｐ’におけるＬ*成分、ａ*成分、ｂ*成分の値である。
【００２８】
この様子をＬ*ｂ*平面で表わしたものが図１４であり、ａ*ｂ*平面に平行な等明度平面で表わしたものが図１５である。図１４および図１５を参照して、出力GamutＧout外の点Ｐは、点Ｐとの色差ΔＥが最小となるような出力GamutＧout内の点Ｐ’へと変換される。第１の方法とは異なり、ここでは圧縮の中心は存在せず、重心とは異なる方向に向かって圧縮されている。
【００２９】
このように、色差が最小となるように出力Gamut外のデータを出力Gamut内へ変換すると、色のイメージをうまく表現することが可能となる。
【００３０】
【発明が解決しようとする課題】
しかしながら、上述したようなGamut圧縮を行なうカラーマッチング方法では、いずれも入力装置のイメージを所望通りに出力装置で再現するには十分とは言えなかった。
【００３１】
すなわち、Gamut圧縮の第１の方法および第２の方法では、入力装置のGamut内のデータ全てが出力Gamut内に収まるように所定の圧縮率で圧縮されるため、実際には、非常に大きな圧縮比率が設定されることになる。このため、再現される画像は、彩度の非常に低いものになってしまうという問題があった。
【００３２】
また、Gamut圧縮の第３の方法では、彩度の高い青色など、明度を圧縮しても出力Gamut内に入らないものが出てくる。したがって、そのような青色は出力装置で再現できないという問題があった。
【００３３】
さらに、Gamut圧縮の第４の方法では、圧縮処理前後で明度が大きく変化する場合があった。特に、明度の逆転が生じる場合もあり、人が感じる実際のイメージとは異なる画像が出力されるという問題が生じていた。
【００３４】
本発明はこれらの実状に鑑み考え出されたものであり、その目的は、Gamut圧縮を適切に行なうことで、所望の画像を再現することのできるカラーマッチング方法、および、カラーマッチングプログラムを記録したコンピュータ読み取り可能な記録媒体を提供することである。
【００３５】
【課題を解決するための手段】
上記目的を達成するため、本発明のある局面に従うと、第１の装置と第２の装置との色再現範囲が異なる場合に、第１の装置の色再現範囲内の画像データを第２の装置の色再現範囲内の画像データに変換するためのカラーマッチング方法は、第２の装置の色再現範囲内に入らない第１の装置に関する画像データを、明度を保ちつつ色差が最小となるように、第２の装置の色再現範囲内に圧縮を行なう圧縮ステップを含む。
【００３６】
この発明に従うと、第２の装置の色再現範囲内に入らない第１の装置に関する画像データは、明度を保った状態で色差が最小となるように第２の装置の色再現範囲内に圧縮される。明度が変化しないため明度の逆転などが発生せず、イメージ通りの自然なグラデーションを得ることができる。また、可能な限り色差が小さくなるように圧縮されるため、色のイメージを適切に表現することが可能となる。
【００３７】
したがって、圧縮ステップを適切に行なうことで、所望の画像を再現することのできるカラーマッチング方法を提供することが可能となる。
【００３８】
好ましくは、前記カラーマッチング方法において、圧縮ステップは、明度が独立した色空間において行なうことを特徴とする。
【００３９】
ここで、明度が独立した色空間とは、Ｌａｂ色空間などの明度軸を有する色空間をいう。
【００４０】
また、好ましくは、前記明度が独立した色空間は、Ｌａｂ色空間であることを特徴とする。
【００４１】
これらの発明によると、Ｌａｂ色空間のような明度が独立した色空間において、圧縮ステップが行なわれる。このため等明度平面において、色差が最小となるような第２の装置の色再現範囲内にデータを変換圧縮すればよく、容易かつ適切に圧縮処理を行なうことが可能となる。
【００４２】
本発明の他の局面に従うと、コンピュータ読み取り可能な記録媒体は、第１の装置と第２の装置との色再現範囲が異なる場合に、第１の装置の色再現範囲内の画像データを第２の装置の色再現範囲内の画像データに変換するためのカラーマッチング方法をコンピュータに実行させるためのカラーマッチングプログラムを記録する。カラーマッチング方法は、第２の装置の色再現範囲内に入らない第１の装置に関する画像データを、明度を保ちつつ色差が最小となるように、第２の装置の色再現範囲内に圧縮を行なう圧縮ステップを含む。
【００４３】
この発明に従うと、第２の装置の色再現範囲内に入らない第１の装置に関する画像データは、明度を保った状態で色差が最小となるように第２の装置の色再現範囲内に圧縮される。明度が変化しないため明度の逆転などが発生せず、イメージ通りの自然なグラデーションを得ることができる。また、可能な限り色差が小さくなるように圧縮されるため、色のイメージを適切に表現することが可能となる。
【００４４】
したがって、圧縮ステップを適切に行なうことで、所望の画像を再現することのできるカラーマッチングプログラムを記録したコンピュータ読み取り可能な記録媒体を提供することが可能となる。
【００４５】
【発明の実施の形態】
図１は、本発明の実施の形態におけるカラーマッチング方法の全体処理の流れを示したフローチャートである。なお、ここで行なわれる処理は、図７で示したGamutマッピング部７０５において行なわれるものである。
【００４６】
本図を参照してまず、ステップＳ１０１においてデバイスに独立なデータ（ここでは、Ｌ*ａ*ｂ*データとする）が入力されると、ステップＳ１０３において、彩度を考慮したグレー軸の調整が行なわれる。入力装置と出力装置のグレー軸を合わせることで、再現される出力画像のグレーバランスをとるためである。
【００４７】
なお、本ステップにおいては、従来のグレー軸調整（図８のステップＳ８０３等）のように、単に入力Gamut全体をグレー軸の移動と同様に移動させるものではない。入力Gamut内の各データを、その彩度（入力データのグレー軸からの彩度方向の距離）に応じて決定される移動量でもってそれぞれ移動させる。
【００４８】
具体的には、各データの移動量は、入力Gamutのグレー軸から彩度方向に遠ざかる程小さくなる。等明度平面上のグレー軸の移動量をαとすると、たとえば、Δ＝α×β／（ｄ＋β）という関係式に従って、各データの移動量Δが決定される。ここで、ｄは、注目画素データ点の等明度平面上におけるグレー軸からの彩度方向の距離である。また、βは任意の定数である。βには、たとえば１〜３などの数が使用される。
【００４９】
このような関係に従って、入力Gamut内の各データ点を移動させると、入力装置のグレー軸は出力装置のグレー軸に一致することになるが、彩度の高い点は殆ど移動しないことになる。
【００５０】
グレー軸の調整が終了すると、従来行なわれていたような色相の調整処理（図８のステップＳ８０４）は行なわずに、次のステップ（ステップＳ１０５）へと移行する。
【００５１】
ステップＳ１０５では、明度および彩度の調整が行なわれる。すなわち、入力Gamutの明度および彩度を出力Gamutの明度および彩度に合わせるために圧縮処理が行なわれる。明度のレンジを出力装置に合わせて圧縮することで、出力画像に発生する白飛びや暗部の潰れといった不具合が防止される。また、彩度のレンジを出力装置に合わせて調整することで、全体的に自然な色味の出力画像が再現される。
【００５２】
明度、彩度の圧縮処理が終了すると、最後にステップＳ１０７において、出力装置のGamut外のデータをGamut内に貼り付ける貼り付け処理（Gamut圧縮処理）が行なわれる。この時点において出力装置で再現することができない出力Gamut外の入力画像データを、適切に再現可能とするためである。
【００５３】
出力Gamut内へのデータの貼り付け処理が終了すると、カラーマッチング処理が完了したことになり、ステップＳ１０９において、マッチング後の画像データが出力される。
【００５４】
以上が本発明のカラーマッチング方法の大まかな処理の流れである。
次に、図２から図４を用いて、Gamut圧縮処理（図１のステップＳ１０７）について具体的に説明する。
【００５５】
図２は、Ｌ*ａ*ｂ*空間においてGamut圧縮処理が行なわれる様子を示した図である。ここでは簡略化して、六角形を底面とした２つの六角錘を合体させたような形状を、出力GamutＧoutとして表わしている。図中の矢印で示されるように、出力GamutＧout外にある点Ｐは、出力GamutＧout内（表面）の点Ｐ’に変換される。
【００５６】
点Ｐ’は、点Ｐと等しい明度平面Ｖ上にある。そして、等明度平面Ｖ上において、点Ｐとの色差ΔＥが最小となる点である。なお、点Ｐと点Ｐ’の色差ΔＥは、ΔＥ＝（(Ｐ(ａ*)−Ｐ’(ａ*))2＋(Ｐ(ｂ*)−Ｐ’(ｂ*))2）1/2  で表わされる。
【００５７】
図３は、Ｌ*ｂ*平面において、点Ｐが変換される様子を示した図である。本図に示されるように、点Ｐは、等明度平面Ｖ上において移動される。このため、出力GamutＧout外の点がＧout内の点に変換されても明度は一定に保たれる。したがって、データ間で明度の逆転が生じることはない。
【００５８】
図４は、等明度平面Ｖにおいて、点Ｐが変換される様子を示した図である。本図に示されるように、点Ｐは、等明度平面で色差ΔＥが最小となるように出力Gamut表面に貼りつけられる。色の変化が極力抑えられるため、色のイメージがうまく表現される。
【００５９】
以上説明したように、本発明の実施の形態によれば、明度を保ちつつ色差をできる限り小さくするような変更を行なうので、入力装置で再現される色のイメージを出力装置でうまく表現することができる。しかも、明度情報は変化させないので、明度の逆転という不都合も防止され、自然なグラデーションの画像を得ることが可能となる。
【００６０】
今回示した実施の形態におけるカラーマッチング方法はいずれも、上述した一連の処理動作を機能させるためのプログラムでもって実現される。したがって、これらのカラーマッチング方法は、コンピュータ上において実行される場合がある。
【００６１】
図５は、上述したカラーマッチング方法を実行するためのコンピュータの外観を示す図である。一般的なコンピュータは、本体４１と、磁気テープ装置４３と、ＣＤ-ＲＯＭ（Compact  Disc-Read  Only  Memory）装置４７と、ＣＲＴ等の表示装置４２と、キーボード４５と、マウス４６と、モデム４９とを含んでいる。磁気テープ装置４３には磁気テープ４４が装着され、ＣＤ−ＲＯＭ装置４７にはＣＤ−ＲＯＭ４８が装着される。
【００６２】
図６に、このコンピュータの構成を機能ブロック図形式で示す。本図を参照して、周知のように、コンピュータの本体４１は、ＣＰＵ（Central  Processing  Unit）５０と、ＲＯＭ（Read  Only  Memory）５１と、ＲＡＭ（Random  Access  Memory）５２と、ハードディスク装置５３とを含んでいる。これらは、相互にバスで接続されている。
【００６３】
今回のカラーマッチングプログラムは、予めハードディスク装置５３にインストールされたものであってもよいし、ＣＤ−ＲＯＭ４８、磁気テープ４４のような取り外し可能な記録媒体に記録されたものであってもよい。
【００６４】
取り外し可能な記録媒体に記録されたものである場合、記録されたプログラムは、磁気テープ装置４３、ＣＤ−ＲＯＭ装置４７などにより記録媒体から読取られてハードディスク装置５３に一旦格納される。その後は予めハードディスク装置５３にインストールされている場合と同様に、ハードディスク装置５３からＲＡＭ５２にロードされて、ＣＰＵ５０によりプログラムの実行制御がなされる。
【００６５】
なお、プログラムを記録した記録媒体としては、磁気テープやカセットテープなどのテープ系、磁気ディスク（フレキシブルディスク、ハードディスク装置等）や光ディスク（ＣＤ−ＲＯＭ／ＭＯ／ＭＤ／ＤＶＤ等）などのディスク系、ＩＣカード（メモリカードを含む）や光カードなどのカード系、あるいはマスクＲＯＭ、ＥＰＲＯＭ、ＥＥＰＲＯＭ、フラッシュＲＯＭなどの半導体メモリ等の、固定的にプログラムを担持する媒体が考えられる。
【００６６】
さらに、通信モデム４９を介してネットワークからプログラムがダウンロードされるように、流動的にプログラムを担持する媒体であってもよい。なお、このようにネットワークからプログラムがダウンロードされる場合には、そのダウンロード用のプログラムは予めコンピュータの本体４１に格納されておくか、あるいは別の記録媒体から予め本体４１にインストールされる。
【００６７】
なお、記録媒体に格納される内容としては、プログラムに限定されず、データであってもよい。
【００６８】
今回示したカラーマッチング方法は、ＣＲＴなどで表現されるカラー画像情報を、プリンタなどにより用紙に記録する際に用いられることが適しているが、色再現範囲の異なる装置間の色合わせを行なう場合には、どのような装置が対象であっても適用することが可能である。
【００６９】
また、今回は、図１で示したカラーマッチングの処理をいずれも、図７のGamutマッピング部７０５において行なうものとして説明した。ただし、このような場合に限定されるものではない。図１の処理の種類によっては、たとえば、色変換処理の際に行なうこともできる。Ｌ*ａ*ｂ*空間で表わされるＬ*ａ*ｂ*データをＣＭＹ空間で表わされるＣＭＹＫデータに変換する際などである。
【００７０】
また、カラーマッチングの方法は、図１のフローチャートで示した処理の流れに限定されるものではない。たとえば、グレー軸調整処理（ステップＳ１０３）と、明度等の圧縮処理（ステップＳ１０５）とを同時に行なう場合や、あるいは、処理順序が逆になるような場合等においても本発明を適用することができる。
【００７１】
また、図８のフローチャートで示した処理の流れにおいても、本発明を適用することができる。すなわち、彩度を考慮しない通常のグレー軸調整処理（ステップＳ８０３）、色相の調整処理（ステップＳ８０４）を含むカラーマッチング方法においても、Gamut圧縮処理（ステップＳ８０７）において、本実施の形態で示したGamut圧縮処理を適用することができる。
【００７２】
今回開示された実施の形態はすべての点で例示であって、制限的なものではないと考えるべきである。本発明の範囲は、上記した説明ではなく特許請求の範囲によって示され、特許請求の範囲と均等の意味及び範囲内ですべての変更が含まれることが意図される。
【図面の簡単な説明】
【図１】  本発明の実施の形態におけるカラーマッチング方法の全体処理の流れを示したフローチャートである。
【図２】  Ｌ*ａ*ｂ*空間においてGamut圧縮処理が行なわれる様子を示した図である。
【図３】  Ｌ*ｂ*平面において、点Ｐが変換される様子を示した図である。
【図４】  等明度平面Ｖにおいて、点Ｐが変換される様子を示した図である。
【図５】  カラーマッチング方法を実行するためのコンピュータの外観を示す図である。
【図６】  図５のコンピュータの構成を示した機能ブロック図である。
【図７】  入力装置７０１と出力装置７０７とのカラーマッチングの方法を説明するために、画像データの流れを示した図である。
【図８】  図７のGamutマッピング部７０５におけるカラーマッチングの処理の流れを示したフローチャートである。
【図９】  グレー軸移動前のＬ*ａ*ｂ*空間における入力Gamutの断面を示した図である。
【図１０】  グレー軸移動後のＬ*ａ*ｂ*空間における入力Gamutの断面を示した図である。
【図１１】  第１の方法におけるGamut圧縮処理を説明するための図である。
【図１２】  点Ｐが重心Ｑの方向に所定の圧縮率でもって圧縮される様子を等色相面Ｈ上において示した図である。
【図１３】  第４の方法におけるGamut圧縮処理を説明するための図である。
【図１４】  第４の方法におけるGamut圧縮処理の様子をＬ*ｂ*平面で表わした図である。
【図１５】  第４の方法におけるGamut圧縮処理の様子をａ*ｂ*平面に平行な等明度平面で表わした図である。
【符号の説明】
４４  磁気テープ、４８  ＣＤ−ＲＯＭ、７０１  入力装置、７０５  Gamutマッピング部、７０７  出力装置。
【図１】
0004122684.tif 000002
【図２】
0004122684.tif 000003
【図３】
0004122684.tif 000004
【図４】
0004122684.tif 000005
【図５】
0004122684.tif 000006
【図６】
0004122684.tif 000007
【図７】
0004122684.tif 000008
【図８】
0004122684.tif 000009
【図９】
0004122684.tif 000010
【図１０】
0004122684.tif 000011
【図１１】
0004122684.tif 000012
【図１２】
0004122684.tif 000013
【図１３】
0004122684.tif 000014
【図１４】
0004122684.tif 000015
【図１５】
0004122684.tif 000016